【手続補正書】
【提出日】平成27年9月9日(2015.9.9)
【手続補正１】
【補正対象書類名】特許請求の範囲
【補正対象項目名】全文
【補正方法】変更
【補正の内容】
【特許請求の範囲】
【請求項１】
検体センサを較正する方法であって、
時間変化する信号を前記検体センサに印加すること、
印加された信号に対する信号応答を測定すること、
センサエレクトロニクスを使用し、前記信号応答の少なくとも一つの属性を予め定められた感度プロフィールに関連づけて、検体センサの感度を決定すること、
前記決定された感度及び前記検体センサにより生成されたセンサデータを使用して推定される検体濃度値を、センサエレクトロニクスを使用して生成すること、
を含む方法。
【請求項２】
前記感度プロフィールは、前記センサを植設してからの期間に亘って変化する感度値を含む、請求項１に記載した方法。
【請求項３】
前記予め定められた感度プロフィールは、複数の感度値を含む、請求項１に記載した方法。
【請求項４】
前記予め定められた感度プロフィールは、前記検体センサに類似する検体センサの感度変化を研究することから生成されるセンサ感度データに基づく、請求項１に記載した方法。
【請求項５】
前記センサにバイアス電圧を印加することを更に含み、
前記時間で変化する信号は、前記バイアス電圧を上回るステップ電圧或いは前記バイアス電圧に重なる正弦波電圧を含む、請求項１に記載した方法。
【請求項６】
前記決定することは、
測定された信号応答に基づいてインピーダンス値を計算すること、
及び前記インピーダンス値を予め定められた感度プロフィールの感度値に関連づけること、を更に含む請求項１に記載した方法。
【請求項７】
ＤＣバイアス電圧を前記センサに印加してセンサデータを生成し、
前記検体濃度値を推定することが前記決定された感度を使用して修正されたセンサデータを生成すること、を含む請求項１に記載した方法。
【請求項８】
変換関数を前記修正されたセンサデータに適用して前記推定される検体濃度値を生成すること、を更に含む請求項７に記載した方法。
【請求項９】
前記決定された感度の少なくとも一部分に基づいて変換関数を形成することを更に含み、
推定される検体濃度値を生成するために前記変換関数をセンサデータに適用する、請求項７に記載した方法。
【請求項１０】
前記属性は、前記信号応答のピーク電流値である、請求項１に記載した方法。
【請求項１１】
前記決定することは、
前記信号応答データについて高速フーリエ変換を実行すること、前記信号応答の曲線の少なくとも一部を組み込むこと、及び前記信号応答のピーク電流を決定することのうちの少なくとも一つを使用することを含む、請求項１に記載した方法。
【請求項１２】
前記決定することは、複数の異なる予め定められた感度プロフィールから決定されたセンサ属性に基づいて予め定められた感度プロフィールを選択することを更に含む、請求項１に記載した方法。
【請求項１３】
前記選択は、前記決定されたセンサ属性と前記複数の異なる予め定められた感度プロフィールのそれぞれとの間の相関を決定するべくデータ関連分析を実行することを含み、
且つ前記選択された予め定められた感度プロフィールが最も高い相関を有する、請求項１２に記載した方法。
【請求項１４】
前記選択された感度プロフィールを使用して推定される検体濃度値を生成すること、を更に含む請求項１１又は１２に記載した方法。
【請求項１５】
前記選択された感度プロフィールを使用して第２の感度値を決定することを更に含み、
推定される検体濃度値の第１のセットは、前記決定された感度値及び第１の時間周期に関連付けられているセンサデータを使用して生成され、
且つ濃度値の第２のセットは、第２の感度値及び第２の時間周期に関連付けられているセンサデータを使用して生成される、請求項１４に記載した方法。
【請求項１６】
請求項１〜１５のいずれか一項に記載した方法を実施するべく構成されたセンサシステム。
【請求項１７】
前記センサシステムは、コンピュータメモリに格納された命令を備え、
前記命令は、前記センサシステムの一つ又は複数のプロセッサにより実行されるときに、請求項１〜１５のいずれか一項に記載した方法を前記センサシステムに実施させる、請求項１６に記載のセンサシステム。
【請求項１８】
検体センサを較正する方法であって、
予め定められた信号を検体センサに印加すること、
印加された信号に対する応答を測定すること、
センサエレクトロニクスを使用し、前記測定された応答に基づいて前記検体センサの薄膜に関連付けられているインピーダンスの変化を決定すること、
前記決定されたインピーダンスに基づいて前記検体センサの感度の変化を計算すること、
前記計算された感度の変化及び前記検体センサの以前に使用された感度に基づいて修正された感度を計算すること、
及び前記修正された感度を使用して推定される検体値を生成すること、
を含む方法。
【請求項１９】
前記感度の変化を計算することは、非線形補償関数を適用することを含む、請求項１８に記載した方法。
【請求項２０】
前記非線形補償関数は、以下の方程式として表され、
△Ｓ  ＝（ａ＊ｌｏｇ（ｔ）＋ｂ）＊△Ｉ
ここで、△Ｓは感度の変化、ｔは検体センサを較正してからの時間、△Ｉは決定されたインピーダンスの変化、且つａ及びｂは予め定められた係数である、請求項１９に記載した方法。
【請求項２１】
ａ及びｂは類似した検体センサを前もってテストすることにより決定される、請求項２０に記載した方法。
【請求項２２】
検体を測定するシステムであって、
連続検体センサに使用可能な状態で接続されるように構成されたセンサエレクトロニクスであって、該センサエレクトロニクスが、
時間変化する信号を前記検体センサに印加し、
印加された信号に対する信号応答を測定し、
前記信号応答の少なくとも一つの属性を予め定められた感度プロフィールに関連づけて前記検体センサの感度を決定し、且つ
前記決定された感度及び前記検体センサにより生成されたセンサデータを使用して推定される検体濃度値を生成する、
ように構成されたセンサエレクトロニクスを具備した、システム。
【請求項２３】
前記感度プロフィールは、前記センサを植設してからの期間に亘って変化する感度値を含む、請求項２２に記載のシステム。
【請求項２４】
前記予め定められた感度プロフィールは、複数の感度値を含む、請求項２２に記載のシステム。
【請求項２５】
前記予め定められた感度プロフィールは、前記検体センサに類似する検体センサの感度変化を研究することから生成されるセンサ感度データに基づく、請求項２２に記載のシステム。
【請求項２６】
前記センサエレクトロニクスは、前記センサにバイアス電圧を印加するよう更に構成されており、
前記時間変化する信号は、前記バイアス電圧を上回るステップ電圧或いは前記バイアス電圧に重なる正弦波電圧を更に含む、請求項２２に記載のシステム。
【請求項２７】
前記検体センサの感度の決定が、
測定された信号応答に基づいてインピーダンス値を計算すること、及び前記インピーダンス値を予め定められた前記感度プロフィールの感度値に関連づけることを更に含む、請求項２２に記載のシステム。
【請求項２８】
前記センサエレクトロニクスは、ＤＣバイアス電圧を前記センサに印加してセンサデータを生成するよう更に構成されており、
前記検体濃度値を推定することが前記決定された感度を使用して修正されたセンサデータを生成することを含む、請求項２２に記載のシステム。
【請求項２９】
前記センサエレクトロニクスは、変換関数を前記修正されたセンサデータに適用して前記推定される検体濃度値を生成するよう更に構成されている、請求項２８に記載のシステム。
【請求項３０】
前記センサエレクトロニクスは、前記決定された感度の少なくとも一部分に基づいて変換関数を形成するよう更に構成されており、
前記変換関数が、前記推定される検体濃度値を生成するために前記センサデータに適用された、請求項２８に記載のシステム。
【請求項３１】
前記属性は、前記信号応答のピーク電流値である、請求項２２に記載のシステム。
【請求項３２】
前記検体センサの感度の決定が、
前記信号応答データについて高速フーリエ変換を実行すること、前記信号応答の曲線の少なくとも一部を組み込むこと、及び前記信号応答のピーク電流を決定することのうちの少なくとも一つを使用することを含む、請求項２２に記載のシステム。
【請求項３３】
前記検体センサの感度の決定が、
複数の異なる予め定められた感度プロフィールから決定されたセンサ属性に基づいて予め定められた感度プロフィールを選択することを更に含む、請求項２２に記載のシステム。
【請求項３４】
前記感度プロフィールの選択が、
前記決定されたセンサ属性と前記複数の異なる予め定められた感度プロフィールのそれぞれとの間の相関を決定するべくデータ関連分析を実行し、且つ前記選択された予め定められた感度プロフィールが最も高い相関を有することを含む、請求項３３に記載のシステム。
【請求項３５】
前記センサエレクトロニクスは、前記選択された感度プロフィールを使用して推定される検体濃度値を生成するよう更に構成されている、請求項３２または３３に記載のシステム。
【請求項３６】
前記センサエレクトロニクスは、前記選択された感度プロフィールを使用して第２の感度値を決定するよう更に構成されており、
推定される検体濃度値の第１のセットは、前記決定された感度値及び第１の時間周期に関連付けられているセンサデータを使用して生成され、且つ濃度値の第２のセットは、第２の感度値及び第２の時間周期に関連付けられているセンサデータを使用して生成された、請求項３５に記載のシステム。
【請求項３７】
検体を測定するシステムであって、
連続検体センサに使用可能な状態で接続されるように構成されたセンサエレクトロニクスであって、該センサエレクトロニクスが、
予め定められた信号を検体センサに印加し、
印加された信号に対する信号応答を測定し、
前記測定された応答に基づいて前記検体センサの薄膜に関連付けられているインピーダンスの変化を決定し、
前記決定されたインピーダンスに基づいて前記検体センサの感度の変化を計算し、
前記計算された感度の変化及び前記検体センサの以前に使用された感度に基づいて修正された感度を計算し、且つ
前記修正された感度を使用して推定される検体値を生成するように構成されたセンサエレクトロニクスを具備した、システム。
【請求項３８】
前記感度の変化を計算は、非線形補償関数を適用することを含む、請求項３７に記載のシステム。
【請求項３９】
前記非線形補償関数は、以下の方程式として表され、
△Ｓ  ＝（ａ＊ｌｏｇ（ｔ）＋ｂ）＊△Ｉ
ここで、△Ｓは感度の変化、ｔは検体センサを較正してからの時間、△Ｉは決定されたインピーダンスの変化、且つａ及びｂは予め定められた係数である、請求項３８に記載のシステム。
【請求項４０】
ａ及びｂは類似した検体センサを前もってテストすることにより決定される、請求項３９に記載のシステム。